(57)【要約】本発明は、半導体光源の第１アレイおよび別個の半導体光源の第２アレイと、半導体光源の共有アレイと、第１アレイおよび共有アレイを駆動するように構成されている第１ドライバと、共有アレイおよび第２アレイを駆動するように構成されている第２ドライバを含む、照明回路を記述する。本発明は、さらに、そうした照明回路を製造する方法、および、そうした照明回路を制御する方法を記述する。
2020510299.tif 000002
【特許請求の範囲】
【請求項１】
照明回路であって、
半導体光源の第１アレイおよび別個の半導体光源の第２アレイ、
半導体光源の共有アレイ、
前記第１アレイおよび前記共有アレイを駆動するように構成されている第１ドライバ、および
前記共有アレイおよび前記第２アレイを駆動するように構成されている第２ドライバ、
を含む、照明回路。
【請求項２】
前記半導体光源のアレイは、それらの順方向電圧に関して整合されている、
請求項１に記載の照明回路。
【請求項３】
１つの半導体光源のアレイは白色ＬＥＤを有し、かつ、他の半導体光源のアレイは非白色ＬＥＤを有している、
請求項１または２に記載の照明回路。
【請求項４】
前記照明回路は、
前記共有アレイと前記第１アレイとの間に整流ダイオード構成、および、
前記共有アレイと前記第２アレイとの間に整流ダイオード構成、
を有する、
請求項１乃至３いずれか一項に記載の照明回路。
【請求項５】
前記整流ダイオード構成は、単一の整流ダイオードを有する、
請求項４に記載の照明回路。
【請求項６】
請求項１乃至５いずれか一項に記載の照明回路を備える、
照明ユニット。
【請求項７】
請求項１乃至５いずれか一項に記載の照明回路を製造する方法であって、
色空間内の色三角形を選択するステップ、
前記色三角形の各頂点に関連する色点を決定するステップ、
前記色点に基づいて、半導体光源の前記アレイを選択するステップ、
前記第１アレイおよび前記共有アレイを駆動するように第１ドライバを構成するステップ、および、
前記共有アレイおよび前記第２アレイを駆動するように第２ドライバを構成するステップ、
を含む、方法。
【請求項８】
前記色三角形は、黒体軌跡を少なくとも部分的に取り囲むように選択されている、
請求項７に記載の方法。
【請求項９】
前記方法は、
前記共有アレイ内に整流ダイオード構成を配置するステップ、を含む、
請求項７または８に記載の方法。
【請求項１０】
前記方法は、
前記整流ダイオード構成の整流ダイオード機能を果たすように半導体光源を使用するステップ、を含む、
請求項９に記載の方法。
【請求項１１】
前記方法は、
各半導体光源アレイにおいて実質的に同一な全順方向電圧を達成するように各半導体光源アレイを構成するステップ、を含む、
請求項７乃至１０いずれか一項に記載の方法。
【請求項１２】
請求項１乃至５いずれか一項に記載の照明回路を制御する方法であって、
繰り返される制御パターンに従ってドライバを動作させるステップ、を含み、
制御パターンは、前記制御パターンの各期間中に半導体光源のアレイを通る電流の振幅および持続時間を少なくとも指定している、
方法。
【請求項１３】
前記第１ドライバは、前記第１アレイおよび前記共有アレイを含む回路部分へ第１電流を注入するように動作し、かつ/あるいは、
前記第２ドライバは、前記共有アレイおよび前記第２アレイを含む回路部分へ第２電流を注入するように動作する、
請求項１２に記載の方法。
【請求項１４】
前記方法は、
オーバーラップ期間について、前記第１ドライバ電流が前記第２ドライバ電流とオーバーラップするように、制御パターンを定義するステップ、を含む、
請求項１２または１３に記載の方法。
【請求項１５】
前記方法は、
色空間を介して特定的な軌跡に基づいて制御パターンを定義するステップ、を含む、
請求項１２乃至１４いずれか一項に記載の方法。
【発明の詳細な説明】
【技術分野】
【０００１】
本発明は、ＬＥＤ照明回路、そうしたＬＥＤ照明回路を製造する方法、および、そうしたＬＥＤ照明回路を制御する方法に関する。
【背景技術】
【０００２】
白色光の色温度を増加または減少させる能力は有用である。より低い色温度は「暖かい（”warm”）」照明を提供し、そして、より高い色温度は、職場照明（workplace  lighting）のためにより適した「より冷たい（”cooler”）」照明を提供する。白熱電球やハロゲン電球といった、従来の光源の色温度は、色空間の色度図（chromaticity  diagram）の黒体軌跡（black  body  locus）によって表すことができ、そして、色温度は一般的にケルビン度で表現されている。
【０００３】
発光ダイオード(LED)は、低消費電力、長寿命、および低コストのため、従来の光源を置き換えるために使用されている。LED光源は、一般的に、LEDのアレイ（array）、例えば、並列に接続されたLEDのストリングまたは数個のストリング、および、アレイに電流を供給するためのドライバを含んでいる。ドライバ電流（driver  current）は、パルス幅変調（pulse-width  modulation）技術を使用して、一定の直流電流として、または、−電力消費をさらに低減するために−、供給され得る。単一のアレイは、特定の色点（colour  point）または色温度（colour  temperature）と関連付けられる。アレイの光強度は、望むようにドライバ電流の増加または減少により、及び／又は、ドライバ電流のPWM（pulse-width  modulation）パラメータの調整によって、調整することができる。
【０００４】
一つ以上の色の光を出力できるLEDランプは、それぞれ異なる色点を有する少なくとも２つのアレイを必要とする。各ドライバの電流を調整することによって、色と輝度をミックス（mix）することが可能である。例えば、異なる色点３つのLEDアレイについて３つのドライバを使用することによって、その照明回路の色域（colour  gamut）の中で任意の色を獲得することが可能である。しかしながら、LEDチップが近年比較的に安価になってきた一方で、LED照明回路にとってドライバは依然として著しいコスト要因である。従って、白熱電球の調光挙動（dimming  behaviour）を模倣するLEDランプを製造することは、未だに非常に高価である。2つのアレイだけ−そして、従って、2つのドライバだけ−を使用するLED照明回路は、白熱電球の古典的な調光挙動を近似することができるだけである。一方の色温度から他の色温度への移行は、黒体軌跡のような曲線の代わりに、色空間における直線に従わなければならないからである。そうした従来技術のLED照明回路の調光挙動は、従って、消費者によって「不自然（”unnatural”）」であると認識されてしまい得る。
【０００５】
従って、上述の問題を克服する代替的なLED照明回路を提供することが、本発明の目的である。
【発明の概要】
【０００６】
本発明の目的は、請求項１に記載の照明回路と、請求項６に記載の照明ユニット、請求項７に記載の照明回路を製造する方法、および請求項１２に記載の照明回路を制御する方法によって達成される。
【０００７】
本発明に従った、照明回路は、半導体光源の第１アレイおよび別個の半導体光源の第２アレイ、半導体光源の共有アレイ、第１アレイおよび共有アレイを駆動するように構成されている第１ドライバ、および、共有アレイおよび第２アレイを駆動するように構成されている第２ドライバを含んでいる。
【０００８】
本発明の照明回路の利点は、たとえ２つのドライバだけを必要とするものであっても、３つのドライバを有する照明回路として挙動（behave）するように制御できることである。ドライバおよびLEDアレイのこの構成は、照明回路によって生成される光の色点について、２次元のxy色空間を通じた−たとえ湾曲した経路であっても−任意の経路、および、任意のレベルの光強度に従うことを可能にする。対照的に、各アレイについて別個のドライバを有する２つアレイの照明回路は、色空間を通して「直線（”straight  line”）」軌跡だけを達成することができ、そして、一連の直線セグメントによって湾曲した軌跡を近似することができるだけである。
【０００９】
本発明の照明ユニットまたは照明器具は、そうした照明回路を有している。アレイそれぞれにおけるLEDの選択に応じて、本発明の照明器具は、白熱電球といった、従来の光源の色特性を正確に模倣することができる。
【００１０】
本発明に従って、そうした照明回路を製造する方法は、色空間内の色三角形（colour  triangle）を選択するステップ、色三角形の各頂点に関連する色点を決定するステップ、色点に基づいて半導体光源のアレイを選択するステップ、第１アレイおよび共有アレイを駆動するように第１ドライバを構成するステップ、および、共有アレイおよび第２アレイを駆動するように第２ドライバを構成するステップを含む。
【００１１】
本発明に従った、そうしたLED照明回路を制御する方法は、繰り返される制御パターンに従ってドライバを動作させるステップを含み、制御パターンは、制御パターンの各期間中に半導体光源アレイを通る電流の振幅および持続時間を少なくとも指定している。
【００１２】
従属クレームおよび以下の説明は、本発明の特に有利な実施形態および特徴を開示している。実施形態の特徴は、適宜組み合わされてよい。一つの請求項のカテゴリーのコンテクスト（context）において記述される特徴は、他の請求項のカテゴリーに対して等しく適用することができる。
【００１３】
半導体光源アレイは、任意の数の半導体光源を有することができる。本発明の照明回路の半導体光源は、発光ダイオード(LED)またはレーザダイオード(LD)、または、任意の他の適切な半導体光源であってよい。以降は、本発明をいかようにも限定するものではないが、半導体光源はLEDであることが仮定されてよい。本発明の照明回路は、白熱ランプ等の光品質を模倣するために使用され得るので、本発明の好ましい実施形態において、一方のアレイは白色LEDを含み、そして、他方のアレイは、全光出力の色点を調整するために使用され得る非白色LEDを含んでいる。好ましくは、３つのアレイに対するLEDの色は、色三角形が少なくとも部分的に黒体軌跡を取り囲むように、色空間内の色三角形を特定することによって選択される。例えば、第１LEDアレイは一式の白色LEDを含み、第２LEDアレイは一式のオレンジ色LEDを含み、そして、共有アレイは一式の緑色LEDを含み得る。各アレイのLEDは、本質的に同一のLEDであってよく、各々が同一の特定の色を有している。代替的に、より経済的なアプローチにおいて、アレイのLEDは、所望の色を−組み合わせにおいて−達成するように選択されてよい。これらは、以降に説明するように、色空間において黒体軌跡に沿った白色の実質的な任意の色調（shade）を達成するように、一緒に制御することができる。
【００１４】
第１ドライバは、第１LEDアレイおよび共有LEDアレイに「供給（”feeds”）」し、一方で、第２ドライバは、共有LEDアレイおよび第２LEDアレイに「供給（”feeds”）」する。特定のドライバからの電流がその２つのアレイだけを駆動することを保証するために、共有アレイは、好ましくは、２つの整流ダイオード構成を有している。整流ダイオード構成は、ドライバと共有アレイの発光ダイオードとの間に配置された単一の整流ダイオードを有し得る。同様に、そうした整流ダイオード構成は、２つまたはそれ以上の直列接続された整流ダイオード、または、２つまたはそれ以上の並列接続された整流ダイオードを有し得る。別の言葉で言えば、整流ダイオード構成のカソードは、共有アレイのLEDストリングの第１アノードに接続されている。各整流ダイオード構成は、ドライバから共有アレイのLEDを通る電流経路の方向を定めている。代替的な実施形態においては、LEDアレイの最後のカソードと共有アレイの最後のカソードとの間に整流ダイオード構成を配置することができる。整流ダイオード構成は、整流ダイオードとして動作するように、LEDを利用することができる。このことは、LEDが同等な整流ダイオードよりも安価である場合に好ましい。
【００１５】
ドライバによって提供される電流が２つのアレイの間で分割されるので、本発明の好ましい実施形態において、これらは、それぞれのドライバに対して整合されたアレイを提示するように構成されている。別の言葉で言えば、各アレイのダイオードは、順方向電圧の合計が各アレイについて同一であるように選択されている。このことは、多くの方法で達成することができる。例えば、LEDアレイは、各ストリングにおいて同じ数のダイオードを使用することによって整合させることができ、各々が同じ順方向電圧を有している。共有アレイにおいて整流ダイオードを使用する実施形態では、例えば、第１アレイのLEDは、共有アレイのものと同一な全順方向電圧（total  forward  voltage）に到達するように選択することができる。第２アレイについても同様である。
【００１６】
代替的に、第１アレイは、第１アレイおよび共有アレイの順方向電圧を整合させる以外の目的を果たさない整流ダイオードを組み込むことができる。整流ダイオードは、例えば、LEDのストリングの前に置くことができる。第２アレイについても同様であり、そうした整流ダイオードを、また、含むこともできる。
【００１７】
本発明の方法において、第１ドライバは、第１アレイおよび共有アレイを含む回路部分へ第１電流を注入するように動作し、第２ドライバは、共有アレイおよび第２アレイを含む回路部分へ第２電流を注入するように動作する。この原理に従って、本発明の照明回路は、広範な制御シーケンスを可能にしている。各ドライバが共有アレイを駆動するので、あたかも「仮想の（”virtual”）」第３ドライバが存在するかのような挙動をするように、照明回路を動作させることが可能である。第１ドライバだけが「オン（”on”）」のときに、第１アレイは、第１ドライバ電流の概ね２分の１を受け取り、そして、共有アレイも、また、第１ドライバ電流の概ね２分の１を受け取る。２つの動作化されたアレイは、本質的に同一の電流を受け取り、一方で、第２アレイのLEDは、電流を受け取らない。第２ドライバだけが「オン（”on”）」のときに、第２アレイは、第２ドライバ電流の概ね２分の１を受け取り、そして、共有アレイも、また、第２ドライバ電流の概ね２分の１を受け取る。２つの動作化されたアレイは、本質的に同一の電流を受け取り、一方で、第１アレイのLEDは、電流を受け取らない。両方のドライバを同時に動作させることによって、第３効果を達成することができる。そうした「オーバーラップ（”overlap”）」の最中に、第１アレイは第１ドライバ電流の概ね３分の２を受け取り、第２アレイは第２ドライバ電流の概ね３分の２を受け取り、そして、共有アレイは第１ドライバ電流の概ね３分の１、並びに第２ドライバ電流の３分の１を受け取る。
【００１８】
明らかに、共有アレイからの色の貢献は、多くの方法で調整することができる。本発明の好ましい実施形態においては、オーバーラップの持続時間について、第１ドライバ電流が第２ドライバ電流とオーバーラップするように、制御パターンが定義されている。オーバーラップの持続時間および非オーバーラップの持続時間(ドライバのうち１つだけが「オン」である場合)の長さ、および、第１および第２ドライバ電流の振幅は、全体の照明回路について特定的な所望の色および特定的な光束（luminous  flux）を達成するように、制御パターンの各部分に対して選択することができる。ドライバは、設定された「オンタイム（”on-time”）」持続時間の最中に、一定の電流値を提供するように制御することができ、もしくは、「オンタイム」持続時間の最中に、オン状態とオフ状態との間を迅速に切り替えるようにパルス幅変調を使用して制御することができる。
【００１９】
制御シーケンスは、色空間を介して段階的な「動き（”motion”）」を達成するために、一連のわずかに異なる移行中（transitioning）制御パターンを適用することができる。例えば、黒体軌跡といった、軌跡をスムーズに追従する動きである。このようにして、例えば、白熱ランプの調光挙動（dimming  behaviour）を模倣するように、特定的な照明挙動を達成することができる。
【００２０】
本発明の他の目的および特徴は、添付の図面と共に考慮される以降の詳細な説明から明らかになるであろう。しかしながら、図面は、説明の目的のためだけにデザインされたものであり、本発明の境界を定義するものではないことが理解されるべきである。
【図面の簡単な説明】
【００２１】
【図１】図1は、単純化されたCIE1931色空間（chromaticity  space）を示している。
【図２】図2は、本発明の照明回路の第１実施形態を示している。
【図３】図3は、本発明の方法によって決定される色三角形（colour  triangle）を示している。
【図４】図4は、本発明の照明について例示的な制御パターンを示している。
【図５】図5は、本発明の照明回路の第２実施形態を示している。
【図６】図6は、本発明の照明回路の第３実施形態を示している。
【図７】図7は、従来技術の照明回路を示している。
【図８】図8は、従来技術の照明回路を示している。
【００２２】
図面において、同様の数字は、全体を通して同様のオブジェクトを指している。図におけるオブジェクトは、必ずしも縮尺通りに描かれてはいない。
【発明を実施するための形態】
【００２３】
図1は、−単純化された方法で−３次元CIE1931色空間（colour  space）2を通じた色度図または「スライス（”slice”）」を示している。外側の湾曲した境界は、スペクトル軌跡を表している。黒体軌跡（black  body  locus）BBまたはプランク軌跡（Planckian  locus）が示されており、いくつかの基準色温度を示している。この曲線は、日の出のような暖かい赤みを帯びた色(1800K)から、白熱灯(2848K)および昼光白色(5400K)のような黄白色を経て、青白色(無限大)まで伸びている。調光可能な白熱灯といった白色光源がその輝度を増加または減少させるように制御される場合に、その光出力の色は、本質的に黒体軌跡BBに従う。従来技術のLEDランプは、各ストリングが異なる色点を有している、２つのLEDストリングを使用することによって、この挙動を近似することを達成することができ、それによって、２つの色点は、図において示されている直線2Dの終点に対応するように選択される。そうした照明回路の色軌跡は直線2Dによって定義される。しかしながら、この直線と湾曲した黒体軌跡BBとの間の差異は、観察者によって知覚され得るものであり、そして、光源が「期待される（”expected”）」やり方で挙動しないので、いらいらさせるもの（irritating）または不快であると考えられてしまうことがある。
【００２４】
図2は、本発明の照明回路1の第１実施形態を示している。ここでは、LED  L1、LH、L2に係る３つのアレイS1、SH、S2が存在しており、第１ドライバ11が第１アレイS1および共有アレイ（shared  array）SHを駆動し、かつ、第２ドライバ12が第２アレイS2および共有アレイSHを駆動するように配置されている。
【００２５】
この実施形態において、第１LEDアレイS1は、直列接続された発光ダイオードL1のストリングを含み、そして、第２LEDアレイS2は、同数の直列接続された発光ダイオードL2を含んでいる。アレイS1、S2は整合されており、すなわち、各アレイS1、S2のLED  L1、L2の順方向電圧（forward  voltage）の合計は、本質的に同一である。
【００２６】
共有アレイSHは、直列接続されたLEDのストリングLHの前に２つの整流（rectifying）LED  LH0を有している。各整流LED  LH0は、ドライバ11、12のうちの１つと共有アレイSHとの間に接続される。共有アレイSHの直列接続されたストリングは、第１または第２ストリングS1、S2それぞれよりも(少なくとも)１つ少ないLEDを有している。２つの整流LED  LH0は整合されており、すなわち、これら２つの整流LED  LH0の順方向電圧は、本質的に同一である。さらに、整流LED  LH、LH0は、整流LED  LH0および直列接続されたLED  LHのうち１つを含むストリングにおける順方向電圧の合計が、第１ストリングS1のLEDの順方向電圧の合計と同じ(そして、従って、第２ストリングS2のLEDの順方向電圧の合計と同じ)であるように選択されている。
【００２７】
照明回路は、上記の図1において記載された黒体軌跡BB上に存在する特定の色を生成することができる。このことは、ストリングS1、S2、SHに係るLED  L1、L2、LH、LH0の色点の特定的な選択により、および、特定の電流レベルを生成するように各ドライバ11、12を動作させることにより達成される。ストリングS1、S2、SHに係るLED  L1、L2、LH、LH0のLEDの色点(または色温度)は、図3に示されるように、境界をなす（bounding）「色三角形（”colour  triangle”）」3を画定するように選択されている。この図は、黒体軌跡BBの対応する部分と一緒に図1の色空間の一部を示している。境界をなす三角形3は、３つの頂点31、32、33によって定義され、そして、その照明回路の全色域（gamut）を表している。頂点の座標は、LEDアレイS1、S2、SHの色点に対応している。各アレイS1、S2、SHに対する色点の適切な選択によって、黒体軌跡BBの所望の部分を取り囲む特定的な三角形3を定義することが可能である。
【００２８】
第１ドライバ11は、第１アレイS1と共有アレイSHとの間で分割されるドライバ電流I11を提供し、そして、第２ドライバ12は、共有アレイSHと第２アレイS2との間で分割されるドライバ電流I12を提供する。両方のドライバが「オン（”on”）」のときに、第１アレイS1を通る電流IS1は、第１ドライバ電流I11の３分の２であり、第２アレイS2を通る電流IS2は、第２ドライバ電流I12の３分の２であり、そして、共有アレイSHを通る電流ISHは、第１ドライバ電流I11の３分の１と、第２ドライバ電流I12の３分の１とを足したものである。
【００２９】
２つのドライバのうち１つだけが「オン」のときに、そのドライバからの電流は、２つのストリング間で等しく共有される。例えば、第１ドライバ11が「オン」であり、かつ、第２ドライバ12が「オフ（”off”）」であるときに、第１アレイS1を通る電流I S1は、第１ドライバ電流I 11の２分の１であり、第２アレイS2を通る電流I S2は０であり、そして、共有アレイSHを通る電流I SHは、また、第１ドライバ電流I 11の２分の１である。ダイオードの非線形挙動のせいで、当業者に知られているように、LEDストリングS1、S2、SHによって引き出される電流I S1、I
S2、I SHは、ドライバ電流I
11、I 12の正確に３分の１、２分の１、等ではない。
【００３０】
第１電流I11および第２電流I12の特定的な組み合わせを生成するようにドライバ11、12を適切に動作させることによって、照明回路による光出力は、ランプが暗く調光されている間、または、輝度が増加されているときに、黒体軌跡BBに追従することができる。一つの例示的な照明回路に係る可能な「色」が、黒体軌跡BBの近接または軌跡上に存在する点として示されている。色三角形3の範囲内において、任意の色が可能である。
【００３１】
図4は、時間（単位ｍｓ）に対する電流I（単位ｍＡ）の単純化された図であり、一つの例示的な特定の制御パターンPの連続した期間P1、P2、Pboth、Poffに応じて、ストリングS1、S2、SHがどのように動作化または非動作化され得るかを示している。図の上部は、図2の共有ストリングSHを通る電流ISHを示しており、図の中央部は、第１ストリングを通る電流IS1を示しており、そして、図の下部は、第２ストリングを通る電流IS2を示している。第１ドライバは、時間t0から時間tbまで第１電流I11を流し、そして、第２ドライバは、時間taから時間tcまで第２電流I12を流す。時間taから時間tbまで、共有ストリングSHには、第１ドライバおよび第2ドライバの両方から電流が供給されている。
【００３２】
期間P1において第１ドライバのみが「オン」であるときに、第１アレイを通る電流IS1は、第１ドライバ電流I 11の概ね５０％であり、そして、共有アレイを通る電流I
SHも、また、第１ドライバ電流I 11の概ね５０％である。この期間P1において、第２アレイのLEDは、電流を受け取らない。
【００３３】
期間Pbothにおいて両方のドライバが「オン」であるときに、第１アレイを通る電流IS1は、第１ドライバ電流IS11の概ね６６％であり、そして、第２アレイを通る電流IS2は、第２ドライバ電流I12の概ね６６％%であり、そして、共有アレイを通る電流ISHは、第１ドライバ電流I11の概ね３３％と、第２ドライバ電流I12の概ね３３％との合計によって与えられる。期間P2において第２ドライバのみが「オン」であるときに、第２アレイを通る電流IS2は、第２ドライバ電流I12の概ね５０％であり、共有アレイを通る電流ISHも、また、第２ドライバ電流I12の概ね５０％である。この期間P2において、第１アレイのLEDは、電流を受け取らない。
【００３４】
制御パターンPは、所望の時間について持続することができ、そして、調光シーケンス、色調整シーケンス、等の他の適切な制御パターンが先行し、または、後に続いてよい。制御パターンPは、例えば、両方のドライバがオフである「オフ（”off”）」期間Poffを含んでよい。ドライバの電流レベルI11、I12および各制御シーケンスの期間P1、P2、Pb、Poffの持続時間は、所望の色、並びに所望の輝度を達成するように注意深く選択することができる。もちろん、図4に示された制御シーケンスは、単に例示的なものであり、そして、アクティブドライバ電流およびオン/オフ時間の任意のシーケンスが可能であることが理解されるだろう。
【００３５】
図5は、本発明の照明回路1の第２実施例を示している。図2の照明回路と類似しており、そして、ここにおいては、差異だけが説明される。図2の整流LED  LH0の代わりに、共有アレイSHは、直列接続されたLED  LHのストリングの先頭に２つの整流ダイオードRHを有している。整流ダイオードRHは、整合されており、すなわち、これら２つのダイオードRHの順方向電圧は、本質的に同一である。さらに、LED  L1、L2、LH、およびダイオードRHは、全順方向電圧が各アレイS1、S2、SHに対して本質的に同一になるように選択されている。整流ダイオードRHが、理想に近い（near-ideal）、すなわち、ほぼゼロ（near-zero）の順方向電圧を有する場合に、共有ストリングSHは、図に示されるように、追加のLEDを含み得る。
【００３６】
この実施形態において、LEDの色点L1、L2、LHは、また、上記の図3で説明したように、色三角形を画定するように選択することもでき、そして、ドライバ11、12は、色三角形の中で特定の色を生成し、または、色を黒体軌跡BBに従わせるように、LEDアレイS1、S2、SHを駆動するように動作させることができる。
【００３７】
図6は、本発明の照明回路1の第３実施例を示している。図5の照明回路と類似しており、そして、ここにおいては、差異だけが説明される。第１および第２ストリングS1、S2それぞれは、直列接続されたLED  L1、L2のストリングの先頭に整流ダイオードR1、R2を有している。このことは、ストリングS1、S2、SHの順方向電圧を整合させることをより容易にし、そして、整流ダイオードは一般的に非常に安価なコンポーネントであるため、より経済的な具現化である。ここにおいても、また、LED  L1、L2、LHの色点は、上記の図3で説明したように、色三角形を画定するように選択することができ、そして、ドライバ11、12は、色三角形の中で特定の色を生成し、もしくは、ランプが暗くされ、または、明るくされる際に、色を黒体軌跡BBに従わせるように、LEDアレイS1、S2、SHを駆動するように動作させることができる。
【００３８】
図7は、２つのLEDアレイを有する従来技術の照明回路を示している。ここにおいては、２つの別個の回路70、71が必要とされる。第１回路70は、第１ドライバ700および第１色のLEDストリング7Aを有している。第２回路71は、第２ドライバ710および第２色のLEDストリング7Bを有している。ドライバ700、710は、ドライバ電流振幅を増加または減少させること、PWMパラメータを調整すること、等によって、自身のLEDストリングの光出力を調整することだけができる。そうした回路を使用して達成可能な色空間軌跡は、図1に示されるように直線2Dに従うものである。この先行技術の実現化は、従って、白熱電球の色挙動を模倣するためには適していない。
【００３９】
図8は、別の従来技術の照明回路を示している。ここにおいては、３つの別個の回路80、81、82が必要とされる。第１回路80は、第１ドライバ800および第１色のLEDストリング8Aを有している。第２回路81は、第２ドライバ810および第２色のLEDストリング8Bを有している。第３回路82は、第３ドライバ820および第３色のLEDストリング8Cを有している。そうした回路を使用して達成可能な色空間軌跡は、黒体軌跡に追従することができるが、追加の第３ドライバという代償を払ったものである。この先行技術の実現化は、従って、好ましくないほどに高価である。
【００４０】
本発明が、好ましい実施形態およびそのバリエーションの形態において開示されてきたが、本発明の範囲から逸脱することなく、多くの追加的な修正およびバリエーションが成され得ることが理解されるだろう。
【００４１】
明確化の目的のために、この出願全体を通じた「１つ（”a”または”an”）」の使用は、複数を除外するものではなく、そして、「含む（”comprising”）」は、他のステップまたは要素を除外するものではないことが理解されるべきである。
【符号の説明】
【００４２】
１  照明回路
１１、１２  ドライバ
２  色空間
３  色三角形
３１、３２、３３  頂点
Ｓ１、Ｓ２、ＳＨ  LEDアレイ
Ｉ１１、Ｉ１２  ドライバ電流
ＩＳ１、ＩＳ２、ＩＳＨ  アレイ電流
Ｌ１、Ｌ２、ＬＨ、Ｌ０  発光ダイオード
ＲＨ、Ｒ１、Ｒ２  整流ダイオード
Ｐ  制御パターン
Ｐ１、Ｐ２、Ｐｂｏｔｈ、Ｐｏｆｆ  期間
ＢＢ  黒体軌跡
２Ｄ  直線軌跡
ｔ０、ｔａ、ｔｂ  時間
７０、７１  従来技術の回路
７００、７１０  従来技術のドライバ
８０、８１、８２  従来技術の回路
８００、８１０、８２０  従来技術のドライバ
【図１】
2020510299.tif 000003
【図２】
2020510299.tif 000004
【図３】
2020510299.tif 000005
【図４】
2020510299.tif 000006
【図５】
2020510299.tif 000007
【図６】
2020510299.tif 000008
【図７】
2020510299.tif 000009
【図８】
2020510299.tif 000010
【国際調査報告】
2020510299.tif 000011
2020510299.tif 000012
2020510299.tif 000013